(57)【要約】【課題】シート材をロール体から引き出す作業に平行してシート材の引出し長さの測定を同時に行なえ、かつ、その長さ測定を狭いスペースで行うことができること、そして、保管時や持ち運ぶときにはコンパクトに収容まとめた状態にできる。【解決手段】ロール巻きされているシート材Ｂをロール体ｂから必要長さ引き出して切り離すときに、その引出し長さを測定する引出し長さ測定器具Ａであって、ロール体ｂを回転可能に支持させる器具本体１と、器具本体１に装着されてロール体ｂから引き出されるシート材Ｂへの接触によってシート材Ｂの引出し長さを測定し積算表示する測定器２とを備えている。【選択図】図１
2014105459.tif 000002
【特許請求の範囲】
【請求項１】
ロール巻きされているシート材をロール体から必要長さ引き出して切り離すときに、その引出し長さを測定する引出し長さ測定器具であって、
前記ロール体を回転可能に支持させる器具本体と、
該器具本体に装着されて前記ロール体から引き出される前記シート材への接触によって該シート材の引出し長さを測定し積算表示する測定器と、を備えて構成されていることを特徴とするロール巻きシート材の引出し長さ測定器具。
【請求項２】
前記器具本体は、前記シート材のシート幅に相当する平面視で略矩形状を呈するベース部を備え、シート材をロール体から引き出すとき、シート端部を位置合わせしてシート材の引出し開始地点となる前記ベース部の前側長辺部に沿わせてシート材を引き出し摺接可能な状態に押えるシート押え部材を備えていることを特徴とする請求項１に記載のロール巻きシート材の引出し長さ測定器具。
【請求項３】
前記ロール体を回転可能に支持させる複数本のロール芯軸を、ロール体同士が干渉し合わない間隔をおいて前記器具本体に備えていることを特徴とする請求項１または２に記載のロール巻きシート材の引出し長さ測定器具。
【請求項４】
前記器具本体による前記ロール体の回転支持部位から前記シート押え部材によるシート押え部位に至るベース部上面のシート引き出し経路上に位置させて前記測定器を配置してなることを特徴とする請求項１〜３のいずれかに記載のロール巻きシート材の引出し長さ測定器具。
【請求項５】
前記器具本体は、収容空間を有するベース部のシート幅方向の両側短辺部にヒンジ部材を介して両側起立板を根元から折畳み可能に備えて、前記ロール体を回転可能に支持するロール芯軸およびシート押え部材を両側起立板間に係脱可能に取り付けることで構成されていることを特徴とする請求項１〜４の何れかに記載のロール巻きシート材の引出し長さ測定器具。
【発明の詳細な説明】
【技術分野】
【０００１】
本発明は、ロール巻きシート材の引出し長さ測定器具に係り、詳しくは、ロール巻きされているシート材をロール体から必要長さ引き出して切り離すとき、その引出し長さを測定する引出し長さ測定器具に関する。
【背景技術】
【０００２】
例えば、建物の新築やリフォームなどの施工現場では、外壁の外装モルタル仕上げやタイル、ボードなどからなる外装仕上げ材を張り付けるなど外装仕上げ工事を行う際の外装下地材として、また、内壁の内装塗り壁および塗装（ローラ／吹付）仕上げなどの内装仕上げ工事を行う際の内装下地材として、さらには、壁内部の結露発生を防ぐ結露防止材などとして、これら各用途に応じた素材からなる種々のシート材（建材シート）が使用されている。このシート材は、工場生産により所定のシート幅（例えば、１〜２ｍ程度の幅）で数十メートルの長さにてロール巻きされたロール体（巻物）として施工現場などに提供される。そして、施工現場においては外壁や内壁の壁面高さ寸法などに応じた必要長さをロール体から引き出し、ロール体から切り離されて使用される。
【先行技術文献】
【特許文献】
【０００３】
【特許文献１】特開平１１―１０７５１５号公報
【発明の概要】
【発明が解決しようとする課題】
【０００４】
ところで、従来では、壁面高さ寸法などに応じた必要長さにてシート材をロール体から引き出して切り離すときの引出し長さの測定（計測）は、必要長さを目安にしてロール体から一旦シート材を引き出し展開させ、この引出し展開状態にて巻き尺（物差し）などの測定器を用いた手作業によって作業者自身が行っている。そのために、従来では、必要長さを目安にロール体からシート材を引出し展開させるための平らな広い（長い）スペースが必要となる。また、ロール体を持ってシート材を一旦引き出し、その後巻き尺などによる長さの測定を行うという二段構えの作業が必須となるために、手間が掛るばかりか、現場の状況によっては二人掛りで行う必要があるなど、作業能率が悪く、作業者への負担増となり、ひいては、工期が長引くという問題の要素となっていた。
【０００５】
本発明は、このような問題を対処することを課題の一例として創案されたものである。すなわち、ロール巻きされているシート材をロール体から必要長さ引き出して切り離す作業において、ロール体からシート材を引き出す作業に平行してシート材の引出し長さの測定を同時に行なえ、かつ、その長さ測定を狭いスペースで行うことができること、使用しないときの保管時や持ち運ぶときなどにはコンパクトに収容まとめた状態にできること、などが本発明の目的である。
【課題を解決するための手段】
【０００６】
このような目的を達成するために、本発明によるロール巻きシート材の引出し長さ測定器具は、少なくとも以下の構成を具備するものである。
ロール巻きされているシート材をロール体から必要長さ引き出して切り離すときに、その引出し長さを測定する引出し長さ測定器具であって、
前記ロール体を回転可能に支持させる器具本体と、該器具本体に装着されて前記ロール体から引き出されるシート材への接触によって該シート材の引出し長さを測定し積算表示する測定器とを備えて構成されていることを特徴とする。
このような構成によれば、器具本体に回転可能に支持させたロール体から必要長さのシート材を引き出すことで、シート材に接触する測定器によってシート材の引出し長さが測定され積算表示（カウント表示）される。引き出したシート材は器具本体の前方においてロール状に巻き取る。つまり、作業者はシート材の引き出しに伴い測定器に順次積算表示される引出し長さを確認しながら、必要長さのシート材をロール体から引き出すことができる。
【０００７】
ここで、前記器具本体は、前記シート材のシート幅に相当する平面視で略矩形状を呈するベース部を備え、シート材をロール体から引き出すとき、シート端部を位置合わせしてシート材の引出し開始地点となる前記ベース部の前側長辺部に沿わせてシート材を引き出し摺接可能な状態で押えるシート押え部材を備えている構成を採用することが好適なものとなる。
このような構成によれば、ロール体から必要長さのシート材を引き出すとき、シート材のシート端部をシート引出し開始地点（測定器の積算表示の０リセット）となるベース部の前側長辺部に位置合わせすることで、ロール体からのシート材の引き出し長さを測定器によって測定することができる。つまり、ロール体から引き出されたシート材は、シート押え部材によって一定の押え力のもとで摺接可能に押えられていることで、弛むこともなく、ピーンと張られた状態で測定器による長さ測定が行われる。そして、ロール体から必要長さのシート材を引き出した後に、シート材を切り離すときには、シート押え部材にカッタナイフなどの切断具の刃先を沿わせて切断具を引くことで、シート材を幅方向に真っ直ぐに切断し、ロール体から切り離すことができる。
【０００８】
また、前記器具本体は、前記ロール体を回転可能に支持させる複数本のロール芯軸を、ロール体同士が干渉し合わない間隔おいて備えている構成を採用することが好適なものとなる。
このような構成によれば、複数のロール芯軸に回転可能に支持させている各ロール体からシート材を一緒に引き出すことで、複数枚のシート材の引出し長さを測定器によって同時に測定することができる。
【０００９】
また、前記器具本体の前記ロール体の回転支持部位から前記シート押え部材によるシート押え部位に至る前記ベース部の上面に沿うシート引き出し経路上に位置させて前記測定器を配置してなる構成を採用することが好適なものとなる。
このような構成によれば、ロール体から引き出されたシート材の引出し長さの測定は、ベース部の上面に沿う平らなシート引き出し経路に位置して配置されている測定器によって行われる。つまり、測定器は引き出されるシート材との安定的な接触のもとで、シート材の引出し長さを測定し積算表示する。
【００１０】
また、前記器具本体は、収容空間を有する前記ベース部のシート幅方向の両側短辺部にヒンジ部を介して両側起立板を折畳み可能に備えて、前記ロール体を回転可能に支持するロール芯軸を両側起立板間にわたり係脱取り外し可能に取り付けるように構成されていることが好適なものとなる。
このような構成によれば、持ち運ぶときや使用しないときの保管時には、ベース部の両側短辺部にヒンジ部材にて折畳み可能に起立する両側起立板間からロール芯軸などの治具構成パーツ類を取り外し、当該ロール芯軸などをベース部の収容空間内に収容するとともに、両側起立板をベース部上に折り畳むことで、コンパクトに収容まとめた状態にすることができる。
【発明の効果】
【００１１】
本発明のロール巻きシート材の引出し長さ測定器具は、以上のように構成されていることで、ロール巻きされているシート材をロール体から必要長さ引き出して切り離す作業において、シート材を引き出す作業と平行してシート材の引出し長さの測定を同時に行なうことができる。しかも、シート材の引出し測定作業を狭いスペースで、一人でも容易に行うことができる。また、使用しないときの保管時や持ち運ぶときなどにおいてはコンパクトに収容まとめた状態とすることができる。
【図面の簡単な説明】
【００１２】
【図１】本発明の実施形態に係るロール巻きシート材の引出し長さ測定器具を示す斜視図である。
【図２】同引出し長さ測定器具の分解斜視図である。
【図３】同引出し長さ測定器具の測定器の一例を示す斜視図である。
【図４】１本のロール体をセットしたときの使用例を示す同引出し長さ測定器具の縦断側面図である。
【図５】同使用例を示す斜視図である。
【図６】コンパクトに収容まとめた引出し長さ測定器具の一例を示す説明斜視図である。
【図７】２本のロール体をセットしたときの使用例を示す引出し長さ測定器具の縦断側面図である。
【発明を実施するための形態】
【００１３】
以下、本発明の実施形態について、適宜図面を参照しながら詳細に説明する。本発明の実施形態は図示の内容を含むがこれのみに限定されるものではない。
図１は、本発明の実施形態に係るロール巻きシート材の引出し長さ測定器具を示す斜視図であり、図２は、同分解斜視図である。
本実施形態に係るロール巻きシート材の引出し長さ測定器具（以後、単に「測定器具」と称する）Ａは、ロール巻きされているシート材Ｂのロール体ｂを回転可能に支持するとともに、必要長さのシート材Ｂをロール体ｂから引き出すとき、その引き出しと平行してシート材Ｂの引き出し長さの測定が同時に行なわれるように構成されている。
【００１４】
≪測定器具の構成≫
測定器具Ａは、図１に示すように、ロール巻きされているシート材Ｂのロール体ｂを回転可能に支持させる器具本体１と、ロール体ｂから引き出されるシート材Ｂへの接触によってシート材Ｂの引出し長さを測定し積算表示する測定器２とを備えて構成されている。
また、測定器具Ａは、器具本体１の後記するベース部１ａの前側長辺部に沿わせてロール体Ｂから引き出されてくるシート材Ｂを引き出し摺接可能な状態に押えるシート押え部材３を備えている。
【００１５】
≪器具本体の構成≫
器具本体１は、ベース部１ａと、このベース部１ａのシート幅方向の両側短辺部に取り付けられる両側起立板１ｂとから正面視で上向き開口の略コの字状に形成されている。そして、器具本体１は、ロール体ｂを回転可能に支持させるための複数本、図示例では３本のロール芯軸４ａ〜４ｃを両側起立板１ｂ間に係脱架橋状に取り付けるように形成されている。
【００１６】
ベース部１ａは、金属やその他の適宜の強度を有する板材を用いた折り曲げ加工などによって形成されている。このベース部１ａは、シート材Ｂのシート幅に相当する大きさ（横幅）を有する平面視で略横長矩形状に形成されている。また、ベース部１ａは、両側短辺部側を開口させた長辺幅方向の収容空間Ｍを有する平板筒状に形成されているとともに、前側長辺部の中央部位には持ち運び用の取っ手（掴持部）５を備えている。
収容空間Ｍは、シート押え部材３、３本のロール芯軸４ａ〜４ｃ、後記する２本の連結杆軸９ａ，９ｂなどの器具構成パーツ類を一部が重なった状態でベース部短辺幅方向に収容保管し得る大きさに形成されている。
これにより、後記の図６に示すように、シート押え部材３、ロール芯軸４ａ〜４ｃ、連結杆軸９ａ、９ｂなどの治具構成パーツ類を収容空間Ｍに収容保管してコンパクト（ベース部１ａの大きさ内）に収容まとめられた測定器具Ａを取っ手５によって容易に持ち運ぶことができるようにしている。
【００１７】
両側起立板１ｂは、ロール芯軸４ａ〜４ｃを係脱架橋状に支持するとともに、ベース部１ａの前側長辺部に沿って配置されるシート押え部材３を後記する枢軸３ｂを介して回動可能に支持する役目を成すもので、金属やその他の適宜の強度を有する板材を用いた打抜きやその他の加工によって形成されている。この両側起立板１ｂは、図１および図２に示すように、ベース部１ａの前後方向の幅よりも狭く、高さ方向上部側の前後部位と下部側途中部位とにロール芯軸４ａ〜４ｃの軸端部を係脱自在に支持させるための軸受止め凹部６ａ〜６ｃをそれぞれ備えた形態に形成されている。
【００１８】
軸受止め凹部６ａ〜６ｃは、ロール芯軸４ａ〜４ｃによって回転可能に支持されるロール体ｂ同士が互いに干渉し合わない程度の間隔（離間寸法）をおいて両側起立板１ｂに対向状に形成されるとともに、ロール芯軸４ａ〜４ｃの軸端部を前後方向に離脱不能な状態で落し込み係合し得る程度の深さを有する略半円形状に形成されている。
【００１９】
また、両側起立板１ｂは、下部側の軸受止め凹部６ｃからベース部１ａの前方上面に向けた部位に、シート押え部材３の枢軸３ｂを取り付けるための取付け部７を備えている。この取付け部７は、一部を外部に向けて開口させた孔形状に形成されて、図１に示すように、枢軸３ｂの軸端部を蝶ネジ２０によって締結し得るようになっている。
【００２０】
また、両側起立板１ｂは、ベース部１ａの上面に沿う水平な下辺縁部側の前後部位に連結孔８をそれぞれ備えて、前後２本の連結杆軸９ａ，９ｂによって起立姿勢が連結保持されるように形成されている。連結杆軸９ａ，９ｂは、軸端部にネジ孔１０を備えて、両側起立板１ｂの外側から蝶ネジ１１によってそれぞれ締結されることで、両側起立板１ｂ間にわたり架橋状に取り付けられるように形成されている。
【００２１】
このように形成されている両側起立板１ｂは、垂直な後辺縁部側をベース部１ａの後側長辺部上に位置させた状態で水平な下辺縁部側が蝶番などからなるヒンジ部材１２によってベース部１ａの両側短辺部上にそれぞれ取り付けられる。これにより、両側起立板１ｂは、図６に示すように、ベース部１ａの上面に倒されるように根元から折り畳まれる。
【００２２】
そして、このように、ベース部１ａの両側短辺部上に折り畳み可能に備えられる両側起立板１ｂの起立姿勢を、２本の連結杆軸９との協同で定形保持するための筋交い部材１３をベース部１ａの後側長辺部から両側起立板１ｂにわたりそれぞれ備えている。
【００２３】
筋交い部材１３は、両側起立板１ｂの垂直な後辺縁部の高さ方向途中部位に備えられている連結片部１４からベース部１ａの後側長辺部にネジ止めにより備えられる止着部１５にわたり適宜の斜め姿勢で取り付けられることで、両側起立板１ｂの起立姿勢を定形保持する。この筋交い部材１３は、一端側が両側起立板１ｂの連結片部１４に蝶ネジ・ナット１６によって取り付けられ、他端側がベース部１ａの後側長辺部にネジ止めによって回動可能に取り付けられるように、金属などからなる板材を用いた打抜きやその他の加工によって所定の長さに形成されている。
【００２４】
また、筋交い部材１３は、ベース部１ａの後側長辺部の止着部１５に取り付けられる他端側に当該後側長辺部と平行で略Ｌ字状と成す突片部１７を備えている。これにより、両側起立板１ｂをベース部１ａの上面に折り畳んだときに、両側起立板１ｂの連結片部１４を突片部１７に蝶ネジ・ナット１６によって連結することで、両側起立板１ａのベース部１ａ上面への折畳み状態が固定される。なお、筋交い部材１３の一端側と両側起立板１ｂの連結片部１４との締結、両側起立板１ｂの連結片部１４と筋交い部材１３の他端側突片部１７との連結は、同じ蝶ネジ・ナット１６を用いて行われる。
【００２５】
≪シート押え部材の構成≫
つぎに、ロール体ｂからシート材Ｂを引き出すとき、ベース部１ａの前側長辺部に沿わせてシート材Ｂを引き出し摺接可能に押えるシート押え部材３について説明する。ここでは、図１および図２を適宜参照しながら説明する。
シート押え部材３は、シート材Ｂの引き出し開始地点（測定器２の積算表示の０リセット）となるベース部１ａの前側長辺部に沿ってシート材Ｂの幅方向を一定の押え力で引き出し摺接可能な状態で押える役目、つまり、ロール体ｂからシート材Ｂを引き出すとき、シート材Ｂに弛みなどが生じないように一定の押え力で押えて、シート材Ｂをピーンと張った状態での引き出しを可能とするなどの役目に加えて、ロール体Ｂから引き出されたシート材Ｂを切り離すときに、後記の図５に示すように、カッタナイフなどの切断具Ｃの刃先を宛がうための当て木として利用されるものである。
このシート押え部材３は、所定の幅を有する金属やその他の材料（透明、半透明など含む）からなる帯状板材を用いて、図１および図２に示すように、ベース部１ａの前側長辺部の略全長に沿う長さに形成されている。そして、シート押え部材３は、両端部に取り付けられる両腕片部材３ａと、この両腕片部材３ａ間にわたり取り付けられる枢軸３ｂとによって器具本体１の両側起立板１ｂ間に回動可能で、係脱可能に取り付け連結されるように形成されている。
【００２６】
両腕片部材３ａは、シート押え部材３の両端部に取り付けられる前側より枢軸３ｂを介して両側起立板１ｂ間に回動可能で、かつ、係脱可能に取り付けられる後側に至るにしたがって漸次幅広状に形成されている。また、両腕片部材３ａのうち、一方側（図２において右側）の腕片部材３ａに回動操作用の摘み部１８を備えている。
【００２７】
枢軸３ｂは、前記した連結杆軸９ａ，９ｂと同じく、軸端部にネジ孔１９を備えて、両腕片部材３ａの外側から蝶ネジ２０によって締結されることで、両腕片部材３ａ間に取り付けられるように形成されている。
これにより、蝶ネジ２０を緩めた状態で当該ネジ部を両側起立板１ｂの取付け部７に差し込み挿入させたのちに締め付けることで、両側起立板１ｂに両腕片部材３ａを介してシート押え部材３を取り付け連結することができる。このとき、両腕片部材３ａは、両側起立板１ｂの外側に位置した状態で両側起立板１ｂに取り付けられる。
そして、後記する図４および図５に示すように、シート押え部材３をベース部１ａの前側長辺部に沿わせてシート材Ｂを押える状態にするときや、図１および図４に二点鎖線で示すように、シート押え部材３をベース部１ａの前側長辺部から離脱させた状態（シート押え解除）にするときには、蝶ネジ２０を緩めることで、枢軸３ｂを支点に両腕片部材３ａを介してシート押え部材３を回動（移動）し得るようにしている。
【００２８】
≪測定器の構成≫
つぎに、ロール体ｂからのシート材Ｂの引出し長さを測定する測定具２について説明する。図３は、測定具の一例を示す斜視図である。
測定器２は、ロール体ｂから引き出されるシート材Ｂへの接触（摩擦力）により回転する車輪２ａを利用してシート材Ｂの引出し長さを測定（計測）し積算表示するように形成されている車輪回転式測定器「例えば、ライン精機株式会社製の長さ計（測長器）」である。
【００２９】
すなわち、測定器２は、具体的な内部機構について図示を省略しているが、図３に示すように、ボディ部２ｂの両側に貫通突出する回転車軸に車輪２ａを備えて、ギア機構を使った機械式の文字輪表示によってボディ部２ｂの正面に備えられている表示窓２１にシート材Ｂの引出し長さが表示（積算表示）されるように形成されている。
ちなみに、車輪２ａの回転による測定長さは、例えば、車輪２ａが３回転することで１ｍが表示される。また、表示単位として、例えば、１ｃｍ毎、１０ｃｍ毎、１ｍ毎に１カウントされるようになっている。
また、測定器２は、文字輪表示による測定長さの表示（積算表示）をボディ部２ｂの正面に備えられているリセットボタン（押しボタン）２２による操作によって０リセットし得るようになっている。
【００３０】
そして、このように形成されている測定器２は、図３に示すように、ボディ部２ｂにフック状の取付け部材２３を備えている。これにより、測定器２は、後記の図４および図５に示すように、取付け部材２３のフック部をシート押え部材３の枢軸３ｂに掛止させることで、ロール体ｂからシート材Ｂを引き出すときベース部１ａの平坦な上面に沿うシート引き出し経路上におけるシート押え部材３の後方位置に配置されるようになっている。
【００３１】
［作用説明］
つぎに、以上のように構成されている本実施形態に係る測定器具Ａに使用について簡単に説明する。ここでは、図４に示すように、器具本体１の両側起立板１ｂの上部前後２ヶ所のうち、後側の軸受止め凹部６ａに軸端部を係合させて架橋状に取り付けられるロール芯軸４ａのみに１本のロール体ｂを回転可能にセットした使用例について説明する。
図４は、１本のロール体をセットしたときの使用例を示す測定器具の縦断側面図であり、図５は、同使用例の斜視図である。ここでは、図１を適宜参照しながら説明する
【００３２】
まず、ロール体ｂの巻取り中心孔にロール芯軸４ａを貫通状に挿し込み、ロール芯軸４ａの軸端部を両側起立板１ｂの軸受止め凹部６ａに落し込み係合させてロール体ｂを両側起立板１ｂ間に回転可能にセット支持させる。つぎに、ロール体ｂからシート材Ｂを引き出すときは、測定器２を外し、シート押え部材３を図１に示す状態に枢軸３ｂを支点に回動させて置く。この状態で、シート端部Ｂ１を摘まんでロール体ｂから引き出したシート材Ｂを、前後の連結杆軸９ａ、９ｂのうち、図４に示すように、後側の連結杆軸９ａに架け渡し、この連結杆軸９ａからベース部１ａ上面のシート引き出し経路上を通してシート引き出し開始地点となるベース部１ａの前側長辺部側へと引き出す。これにより、ロール体ｂから引き出されたシート材Ｂは、ベース部１ａ上面のシート引き出し経路に連結杆軸９ａを介して引き下げ接近された状態でベース部１ａの前側長辺部側に向けて略水平に引き出されることとなる。
シート材Ｂをベース部１ａの前側長辺部側へと引き出した状態で、枢軸３ｂを支点にシート押え部材３を回動させてベース部１ａの前側長辺部に沿わせる。この状態で蝶ナット２０を締め付けてシート材Ｂを引き出し摺接可能な状態に押えるようにシート押え部材３を固定するとともに、取り外しておいた測定器２を取付け部材２３によりシート押え部材３の枢軸３ｂに掛止させてシート引き出し経路上に引き出されたシート材Ｂ上に配置する。
【００３３】
このようにして、ロール体ｂからのシート材Ｂの引出し準備を行った後に、例えば、建物の新築やリフォームなどの施工現場において、外壁や内壁の壁面高さ寸法などに応じた必要長さのシート材Ｂをロール体から引き出して切り離すときには、シート引き出し経路上のシート材Ｂの弛みなどを取り除いてシート端部Ｂ１を、図１に二点鎖線で示すように、シート引き出し開始地点（測定器２の積算表示の０リセット）となるベース部１ａの前側長辺部に位置合わせした後に、シート材Ｂの引出しを開始する。すると、シート材Ｂの引き出しに伴いシート材Ｂとの接触（摩擦力）で回転する測定器２の車輪２ａによって引出し長さが測定され、その引き出し長さが文字輪表示によって測定器２の表示窓２１に積算表示（カウント表示）される。
これにより、作業者はシート材Ｂを引き出す側の器具本体１の前方において、測定器２の表示窓２１に順次に積算表示されるシート材Ｂの引き出し長さを確認（目視）しながら、シート材Ｂのロール体ｂからの引出し作業を平行して行うことができる。つまり、ロール体Ｂからシート材Ｂを引き出す作業と平行してシート材Ｂの引き出し長さの測定を同時に行なうことができる。引き出したシート材Ｂは、図４および図５に示すように、器具本体１の前方において順次にロール状に巻き取る。このとき、図示を省略しているが、引き出したシート材Ｂを、使われていないロール芯軸４ｂ，４ｃのいずれかを用いて巻き取ることもできる。
【００３４】
ロール体ｂから必要長さのシート材Ｂを引き出した後に、引き出したシート材５を切り離すときには、図５に示すように、カッタナイフなどの切断具Ｃの刃先をシート押え部材３に沿わせて切断具Ｃを引くことで、シート材Ｂを幅方向に真っ直ぐに切断してロール体ｂから切り離すことができる。
【００３５】
そして、測定器具Ａを使用しないときの保管時や持ち運ぶなどの時には、図６に示すように、器具本体１の両側起立板１ｂ間から取り外した３本のロール芯軸４ａ〜４ｃ、２本の連結軸９ａ、９ｂ、そしてシート押え部材３などの器具構成パーツ類をベース部１ａの収容空間Ｍに収容するとともに、両側起立板１ｂをヒンジ部材１２にて根元からベース部１ａの上面に折畳み、蝶ネジ・ナット１６によって固定することで、測定器具Ａをコンパクトに収容まとめることができる。
【００３６】
以上のように、本実施形態に係る測定器具Ａによれば、器具本体１の前方において、作業者はシート材Ｂの引き出しに伴い測定器２に積算表示される引出し長さを確認しながら、必要長さのシート材Ｂをロール体ｂから引き出す作業を行なうことができる。つまり、ロール体ｂからのシート材Ｂの引き出し作業とその長さ測定作業を、狭いスペースで、一人でも平行して同時に行なうことができる。例えば、建物の新築やリフォームなどの施工現場などにおいては、狭いスペースで、一人の作業者でも容易にシート材Ｂの引き出し作業とその長さ測定作業を平行して同時に行うことができる。これにより、施工現場などにおける作業能率を大幅に向上させることが可能となる。ひいては、作業者への負担減となり、また、工期の短縮化などを期待することができる。
【００３７】
また、ロール体ｂから引き出されたシート材Ｂは、シート押え部材３によって一定の押え力のもとで摺接可能に押えられていることで、弛むこともなく、ピーンと張られた状態で測定器２による長さ測定が行われることで、測定器２によるシート引出し長さの測定がより安定に行われ、精度の高い長さ測定が可能になる。
また、ロール体ｂから必要長さ引き出したシート材Ｂを切り離すときには、シート押え部材３にカッタナイフなどの切断具Ｃの刃先を宛がい、当該シート押え部材３に沿わせて切断具を引くことで、シート材Ｂを幅方向に真っ直ぐに切断し、ロール体ｂから切り離すことができる。
【００３８】
また、使用しないときの保管時や持ち運ぶ、車などに積み込むときなどときにはコンパクトに収容まとめた状態にすることができる。これにより、例えば、建物の新築やリフォームなどの施工現場への持ち運び搬入するときの取扱い性などに対する利便性が図られる。持ち運ぶときには、ベース部１ａに備えられている取っ手５によって容易に持ち運ぶことができる。
【００３９】
また、本実施形態に係る測定器具Ａの使用例としては、図７に示すように、器具本体１の両側起立板１ｂの上部前後２ヶ所にロール芯軸４ａ，４ｂを介して２本のロール体ｂを回転可能にセット支持させることで、２枚のシート材Ｂの引出し長さを同時に測定することができる。
すなわち、図７に示すように、ベース部１ａの平坦な上面に沿うシート引き出し経路上において後側（ロール芯軸４ａ側）のロール体ｂから引き出されるシート材Ｂの上に前側（ロール芯軸４ｂ側）のロール体ｂから引き出されるシート材Ｂを重ね、２枚のシート材Ｂのシート端部Ｂ１を揃えてシート押え部材３により押えられてシート引き出し開始地点（測定器の積算表示の０リセット）となるベース部１ａの前側長辺部に位置合わせして２枚のシート材Ｂを一緒に引き出す。これにより、上側のシート材Ｂへの接触により車輪２ａが回転する測定器２によって２枚のシート材Ｂの引出し長さを同時に測定することができることで、作業能率のさらなる向上が期待することができる。換言すれば、建物の新築やリフォームなどの施工現場などにおいては、作業者への負担減となり、ひいては、工期の大幅な短縮化などを期待することができる。
【００４０】
なお、図７に示す使用例では、後側（ロール芯軸４ａ側）のロール体ｂから引き出されるシート材Ｂを連結杆部９ａに架け渡し、前側（ロール芯軸４ｂ側）のロール体ｂから引き出されるシート材Ｂをロール芯軸４ｃに架け渡して一緒に引き出すように例示しているが、前側のロール体ｂから引き出されるシート材Ｂをも連結杆部９ａに架け渡して後側のロール体ｂから引き出されるシート材Ｂと一緒に引き出すことができる。
【００４１】
以上、本発明の実施形態について図面を参照して詳述してきたが、具体的な構成はこれらの実施形態に限られるものではなく、本発明の要旨を逸脱しない範囲の設計の変更などがあっても本発明に含まれる。
例えば、ロール体ｂから必要長さのシート材Ｂを引き出した後に切り離すためのカッタナイフなどの切断具Ｃをシート押え部材３に沿わせてスライド自在に備えることができる。これにより、作業者はカッタナイフなどを携帯しなくとも、ロール体ｂから引き出したシート材Ｂをシート押え部材３に沿わせて幅方向に切断し、ロール体Ｂから切り離すことができる。
【００４２】
また、測定具２を、適宜のバネ力を有するバネ部材を用いてシート押え部材３の枢軸３ｂに取り付け装着し、シート材Ｂの引き出し長さを測定するようにすることができる。
つまり、シート材Ｂの素材問わずに、測定器２の車輪２ａを所定のバネ力でシート材Ｂに付勢させた状態で接触回転させることで、車輪２ａがスリップして回転しない（空回り）などのおそれがない安定させた回転のもとでシート材Ｂの引出し長さを測定することが期待できる。この場合、バネ部材は、ネジ止めやその他の止め手段を用いて枢軸３ｂに対して回転不動に取り付けて測定器２の車輪２ａをシート材Ｂに所定のバネ力で接触（圧接）させるようにする。
測定器２を枢軸３ｂに回転不動に取り付けることで、シート押え部材３をベース部１ａの前側長辺部から回動離脱させたとき、測定器２も一緒に持ち上げられ、ベース部１ａのシート引き出し経路上から離れることになる。
【００４３】
また、図４に示すように、ロール体ｂから引き出したシート材Ｂをベース部１上面のシート引き出し経路に接近架け渡す連結杆軸９ａにローラなどの回転部材を取り付けて、シート材Ｂを引き出すときの摩擦抵抗などを軽減するようにすることができる。
【００４４】
また、ベース部１ａの収容空間Ｍの両側開口部などに開閉蓋などを適宜取り付けて、持ち運び中などに内部収容物が不用意に飛び出さないようにすることができる。また、ベース部１ａは、両側面開口を閉鎖させた底面開口の平板箱状と成して、当該底面開口部からシート押え部材３、ロール芯軸４ａ〜４ｃ、連結杆軸９ａ，９ｂなどの器具構成パーツ類を収容空間Ｍに収容し得るようにすることができる。この場合、底面開口部に片開きまたは両開き（観音開き）の開閉蓋を取り付ける。
【符号の説明】
【００４５】
Ａ      引出し長さ測定器具
１      器具本体
１ａ    ベース部
１ｂ    両側起立板
２      測定器
３      シート押え部材
３ａ    腕片部材
３ｂ    枢軸
４ａ〜４ｃ  ロール芯軸
Ｂ      シート材
Ｂ１    シート端部
ｂ      ロール体
Ｍ      収容空間
【図１】
2014105459.tif 000003
【図２】
2014105459.tif 000004
【図３】
2014105459.tif 000005
【図４】
2014105459.tif 000006
【図５】
2014105459.tif 000007
【図６】
2014105459.tif 000008
【図７】
2014105459.tif 000009